(57)【要約】【課題】接続された無線端末の帰属先を適切に制御し、より通信状態が良好な帰属先に変更することが可能なゲートウェイ装置が望まれている。【解決手段】帰属制御部は、無線端末からの帰属要求を受信した場合に、スローパス統計情報とファストパス統計情報と無線端末の帰属端末情報とによって生成された統計情報データに基づき、帰属要求が示す識別情報に対応する無線通信方式よりも、通信状態が良好な無線通信方式が存在するか否かを判断し、通信状態が良好な無線通信方式が存在する場合に、帰属要求を拒否する。【選択図】図１
2017130715.tif 000002
【特許請求の範囲】
【請求項１】
無線端末と通信網との間の通信を中継するゲートウェイ装置であって、
前記無線端末と前記通信網との間の通信の転送処理を行うための第１のコネクション情報を保持し、該第１のコネクション情報に基づき、前記転送処理を行うスローパス転送処理部と、
該スローパス転送処理部を介して転送したトラフィックに関する統計情報を示すスローパス統計情報を収集するスローパス統計情報処理部と、
前記無線端末と前記通信網との間の通信の転送処理を行うための第２のコネクション情報を保持し、該第２のコネクション情報に基づき、前記転送処理を前記スローパス転送処理部よりも速く行うファストパス転送処理部と、
該ファストパス転送処理部を介して転送したトラフィックに関する統計情報を示すファストパス統計情報を収集するファストパス統計情報処理部と、
前記スローパス転送処理部および前記ファストパス転送処理部に対応する複数の無線通信方式を有し、帰属する前記無線端末の帰属端末情報を取得するとともに、前記無線端末が帰属する識別情報に対応する無線通信方式による無線通信を制御する無線制御部と、
前記スローパス統計情報、前記ファストパス統計情報、および前記ゲートウェイ装置に帰属する無線端末の帰属端末情報に基づき、前記ゲートウェイ装置による通信の統計情報を示す統計情報データを生成する統計情報収集部と、
生成された前記統計情報データを記憶する統計情報記憶部と、
前記無線端末による前記ゲートウェイ装置への帰属を制御する帰属制御部と
を備え、
前記帰属制御部は、
前記無線端末からの帰属要求を受信した場合に、前記統計情報記憶部から読み出した前記統計情報データに基づき、前記帰属要求が示す前記識別情報に対応する無線通信方式よりも、通信状態が良好な無線通信方式が存在するか否かを判断し、前記通信状態が良好な無線通信方式が存在する場合に、前記帰属要求を拒否する
ことを特徴とするゲートウェイ装置。
【請求項２】
前記ゲートウェイ装置に対する前記無線端末の帰属状態を示す帰属履歴情報を記憶する帰属履歴記憶部
をさらに備え、
前記帰属制御部は、
前記帰属履歴記憶部から読み出した前記帰属履歴情報に基づき、前記帰属要求を行う無線端末による帰属要求回数を調査し、該帰属要求回数に応じて前記帰属要求に対する帰属の許可および拒否の少なくとも一方を行う
ことを特徴とする請求項１に記載のゲートウェイ装置。
【請求項３】
前記帰属制御部は、
前記統計情報記憶部から読み出した前記統計情報データに基づき、複数の無線通信方式による無線通信のそれぞれの通信状態を示す通信状態パラメータを決定し、
前記無線制御部は、
前記通信状態パラメータを付与したビーコンを、前記識別情報毎に送信し、
前記無線端末からの帰属要求を受信した場合に、該帰属要求を許可する
ことを特徴とする請求項１または２に記載のゲートウェイ装置。
【請求項４】
前記無線端末と有線接続され、通信に関する設定情報のうち最適な設定情報を該無線端末から要求された場合に、前記統計情報記憶部から読み出した前記統計情報データに基づき、最適なプロファイルを決定して前記無線端末に対して送信する有線接続制御部
をさらに備えることを特徴とする請求項１〜３のいずれか一項に記載のゲートウェイ装置。
【請求項５】
前記帰属制御部は、
前記統計情報記憶部から読み出した前記統計情報データに基づき、前記無線端末が帰属している識別情報に対応する無線通信方式の混雑状況と、帰属している前記無線端末による通信状態とを調査し、前記無線通信方式の混雑によって前記無線端末が予め設定された時間の間、通信を行っていない場合に、前記無線端末の帰属を解除する
ことを特徴とする請求項１〜４のいずれか一項に記載のゲートウェイ装置。
【発明の詳細な説明】
【技術分野】
【０００１】
本発明は、通信端末と通信網との間の通信を中継するゲートウェイ装置に関する。
【背景技術】
【０００２】
従来、無線端末により通信を行う際には、異なるネットワーク同士を接続するゲートウェイ装置を介して通信が行われている。
このような無線端末では、通常、「プロファイル」と称する通信に関する各種の設定情報を、無線アクセスポイントの識別情報であるＳＳＩＤ（Service Set IDentifier）毎に保持している。そして、無線端末は、保持している複数のプロファイルの中から帰属可能なＳＳＩＤを選択し、対応する無線アクセスポイントに帰属するようになっている。
【０００３】
一方、ゲートウェイ装置には、複数のＳＳＩＤが設定されていることがある。例えば、ゲートウェイ装置には、比較的高速な通信が可能な５ＧＨｚ帯を用いた通信に対応するＳＳＩＤと、比較的低速な通信が可能な２．４ＧＨｚ帯を用いた通信に対応するＳＳＩＤとが設定されている。
【０００４】
例えば、特許文献１に記載のゲートウェイ装置であるパケット交換装置では、ファストパス部、ミドルパス部、スローパス部の３つのパケット処理部を備えている。このパケット交換装置においては、ファストパス部を介して通信を行う場合、ミドルパス部を介して通信を行う場合、およびスローパス部を介して通信を行う場合の、それぞれの通信に対応してＳＳＩＤが設定されている。
【０００５】
ここで、例えば、無線端末およびゲートウェイ装置がともに、比較的高速な５ＧＨｚ帯と、比較的低速な２．４ＧＨｚ帯との両方の通信に対応しており、２つのＳＳＩＤが設定されている場合、無線端末は、ゲートウェイ装置のいずれかのＳＳＩＤを選択して無線帰属を行い、通信することができる。
【先行技術文献】
【特許文献】
【０００６】
【特許文献１】特開２００６−１８０１６２号公報
【発明の概要】
【発明が解決しようとする課題】
【０００７】
しかしながら、例えば、無線端末が比較的低速な通信に対応するプロファイル＃１と、比較的高速な通信に対応するプロファイル＃２との両方のプロファイルを保持している場合には、通信速度を考慮せずに、比較的低速な通信に対応するプロファイル＃１を選択し、対応するＳＳＩＤでゲートウェイ装置に帰属してしまう場合がある。
【０００８】
また、一旦、無線端末が特定のプロファイルでゲートウェイ装置に帰属すると、より条件のよい他のプロファイルを用いて帰属先を自動的に変更することができない。
例えば、電波環境の変化等によって通信速度が低下したり、比較的高速な通信に対応するプロファイル＃２が使用できるようになったとしても、無線端末は、自動的に帰属先を変更することができず、ユーザがプロファイル＃２に対応するＳＳＩＤで帰属し直す操作を行う必要がある。
そのため、接続された無線端末の帰属先を適切に制御し、より通信状態が良好な帰属先に変更することが可能なゲートウェイ装置が望まれている。
【課題を解決するための手段】
【０００９】
本発明に係るゲートウェイ装置は、無線端末と通信網との間の通信を中継するゲートウェイ装置であって、前記無線端末と前記通信網との間の通信の転送処理を行うための第１のコネクション情報を保持し、該第１のコネクション情報に基づき、前記転送処理を行うスローパス転送処理部と、該スローパス転送処理部を介して転送したトラフィックに関する統計情報を示すスローパス統計情報を収集するスローパス統計情報処理部と、前記無線端末と前記通信網との間の通信の転送処理を行うための第２のコネクション情報を保持し、該第２のコネクション情報に基づき、前記転送処理を前記スローパス転送処理部よりも速く行うファストパス転送処理部と、該ファストパス転送処理部を介して転送したトラフィックに関する統計情報を示すファストパス統計情報を収集するファストパス統計情報処理部と、前記スローパス転送処理部および前記ファストパス転送処理部に対応する複数の無線通信方式を有し、帰属する前記無線端末の帰属端末情報を取得するとともに、前記無線端末が帰属する識別情報に対応する無線通信方式による無線通信を制御する無線制御部と、前記スローパス統計情報、前記ファストパス統計情報、および前記ゲートウェイ装置に帰属する無線端末の帰属端末情報に基づき、前記ゲートウェイ装置による通信の統計情報を示す統計情報データを生成する統計情報収集部と、生成された前記統計情報データを記憶する統計情報記憶部と、前記無線端末による前記ゲートウェイ装置への帰属を制御する帰属制御部とを備え、前記帰属制御部は、前記無線端末からの帰属要求を受信した場合に、前記統計情報記憶部から読み出した前記統計情報データに基づき、前記帰属要求が示す前記識別情報に対応する無線通信方式よりも、通信状態が良好な無線通信方式が存在するか否かを判断し、前記通信状態が良好な無線通信方式が存在する場合に、前記帰属要求を拒否するものである。
【発明の効果】
【００１０】
以上のように、本発明によれば、統計情報データに基づき、より通信状態が良好なＳＳＩＤを調べることにより、接続された無線端末の帰属先を適切に制御し、より通信状態が良好な帰属先に変更することが可能になる。
【図面の簡単な説明】
【００１１】
【図１】実施の形態１に係るネットワークシステムの構成の一例を示すブロック図である。
【図２】図１のゲートウェイ装置における統計情報収集部による、統計情報の収集処理の流れの一例を示すシーケンス図である。
【図３】図１のゲートウェイ装置に対して無線端末が帰属する際のゲートウェイ装置の処理の流れの一例を示すシーケンス図である。
【図４】図１のゲートウェイ装置に対して無線端末が帰属する際のゲートウェイ装置の処理の流れの一例を示すシーケンス図である。
【図５】実施の形態２に係るゲートウェイ装置に対して無線端末が帰属する際のゲートウェイ装置の処理の流れの一例を示すシーケンス図である。
【図６】実施の形態３に係るネットワークシステムの構成の一例を示すブロック図である。
【図７】実施の形態３に係るゲートウェイ装置に対して無線端末が帰属する際のゲートウェイ装置の処理の流れの一例を示すシーケンス図である。
【図８】実施の形態４に係るゲートウェイ装置に帰属する無線端末に対するゲートウェイ装置の処理の流れの一例を示すシーケンス図である。
【発明を実施するための形態】
【００１２】
実施の形態１．
以下、本実施の形態１に係るゲートウェイ装置について説明する。
本実施の形態１に係るゲートウェイ装置は、複数の無線アクセスポイント機能を有するものであり、複数の無線アクセスポイントによる無線通信方式のそれぞれに対応付けられた識別情報であるＳＳＩＤ毎に、無線端末に対する無線帰属を許容する。そして、無線端末によるインターネットの利用を許容するものである。
【００１３】
［ネットワークシステムの構成］
図１は、本実施の形態１に係るゲートウェイ装置２を適用可能なネットワークシステム１の構成の一例を示すブロック図である。
ネットワークシステム１は、ゲートウェイ装置２および無線端末３で構成されている。
ゲートウェイ装置２は、無線端末３と通信網であるアクセス回線４との間の通信を中継するものである。
【００１４】
無線端末３は、無線アクセスポイント機能を有するゲートウェイ装置２に無線帰属することにより、ゲートウェイ装置２に接続されたアクセス回線４、インターネットサービスプロバイダ（ＩＳＰ：Internet Service Provider）５、およびインターネット回線６を経由してインターネット７に接続される。
【００１５】
（無線端末）
無線端末３は、例えばスマートフォン、タブレット等の無線ＬＡＮ（Local Area Network）への接続機能を有するモバイルデバイスである。無線ＬＡＮは、例えば、伝送方式や利用周波数帯（２．４ＧＨｚ／５ＧＨｚ）の違いにより、ＩＥＥＥ（Institute of Electrical and Electronics Engineers）８０２．１１ａ、ＩＥＥＥ８０２．１１ｂ、ＩＥＥＥ８０２．１１ｇ、ＩＥＥＥ８０２．１１ｎ、ＩＥＥＥ８０２．１１ａｃ等に分類される。
【００１６】
無線端末３は、通信に関する各種の設定情報が記述されたプロファイルをＳＳＩＤ毎に複数有している。無線端末３は、このプロファイルに基づき、対応するＳＳＩＤに対して帰属することにより、このＳＳＩＤに対応する無線通信方式を用いて無線通信を行うことができる。
【００１７】
（ゲートウェイ装置）
図１に示すように、ゲートウェイ装置２は、スローパス部１０およびファストパス部２０で構成されている。
スローパス部１０とファストパス部２０とは、それぞれ異なるプロセッサにより構成されている。スローパス部１０は、例えばＬｉｎｕｘ（登録商標、以下省略する）、ＡＲＭ（登録商標）コアで構成され、ファストパス部２０は転送専用のコアで構成されている。
【００１８】
スローパス部１０は、無線制御部１１、スローパス転送処理部１２、帰属制御部１４、および統計情報収集部１６を備えている。
【００１９】
無線制御部１１は、例えば無線ドライバおよび無線チップで構成され、後述するスローパス転送処理部１２およびファストパス転送処理部２１に対応する複数の無線通信方式による無線通信を制御する。
無線ドライバは、ゲートウェイ装置２に帰属している無線端末３のＭＡＣ（Media Access Control）アドレス等の情報をＳＳＩＤ毎に保持する。
無線チップは、ＳＳＩＤ毎にビーコンを定期的に送出するなどの処理を行う。ビーコンには、各ＳＳＩＤに対応する通信状態を示す情報である通信状態パラメータが含まれている。
【００２０】
スローパス転送処理部１２は、例えば、Ｌｉｎｕｘのネットワークスタックである。スローパス転送処理部１２は、ゲートウェイ装置２から無線端末３等の外部の通信機器に対するパケットの送信、および外部の通信機器からゲートウェイ装置２に対するパケットの受信といったパケットの送受信を行う。
また、スローパス転送処理部１２は、ルーティングまたはブリッジングにより、所定の外部の通信機器から他の外部の通信機器に対するパケット転送を行う。
【００２１】
スローパス転送処理部１２は、パケット転送等を行うためのコネクション情報を、図示しない記憶部に保持しており、このコネクション情報に基づき、パケット転送等を行う。
コネクション情報は、具体的には例えばｎｅｔｆｉｌｔｅｒのｃｏｎｎｔｒａｃｋであり、パケット転送等を行う際に必要な各種の情報が含まれている。例えば、コネクション情報には、送信元および宛先のＭＡＣアドレス、送信元および宛先のＩＰ（Internet Protocol）アドレス、ＴＣＰ（Transmission Control Protocol）およびＵＤＰ（User Datagram Protocol）等のレイヤ４（トランスポート層）のプロトコル、送信元および宛先のポート番号、スローパス統計情報等が含まれている。
スローパス統計情報は、後述するスローパス統計情報処理部１３で収集された情報であり、スローパスで転送したトラフィックに関する情報についての統計を示す情報である。
【００２２】
スローパス転送処理部１２は、スローパス統計情報処理部１３を有している。
スローパス統計情報処理部１３は、スローパス転送処理部１２で転送したトラフィックに関するスローパス統計情報を、フロー毎に収集および更新する。例えば、スローパス統計情報は、スローパス転送したトラフィックの送信バイト数、送信総フレーム数、受信バイト数、受信総フレーム数等である。
【００２３】
スローパス統計情報処理部１３は、スローパス転送処理部１２がスローパス転送を行った場合に、転送したトラフィックに応じてスローパス統計情報を更新する。例えば、無線端末３からフレームサイズが１０００バイトのパケットを受信し、このパケットを転送した場合には、スローパス統計情報のうち送信バイト数を示す情報を、転送した１０００バイト分だけ増加させる。
【００２４】
帰属制御部１４は、例えば、無線制御部１１を構成する無線ドライバの設定を行う無線アプリケーションであり、無線端末３に対するゲートウェイ装置２への帰属の可否および帰属解除等を制御する。
また、帰属制御部１４は、ゲートウェイ装置２に対する無線端末３の帰属状態を示す帰属履歴情報を取得する。帰属制御部１４は、無線端末３が帰属した場合に、当該無線端末３のＭＡＣアドレス、および、いつ帰属したのかを示す帰属時期情報を帰属履歴情報として取得する。また、帰属制御部１４は、無線端末３の帰属を解除した場合に、当該無線端末３のＭＡＣアドレス、および、いつ帰属を解除したのかを示す帰属解除時期情報を帰属履歴情報として取得する。帰属履歴情報に含まれる情報のうち、帰属または帰属解除した無線端末３のＭＡＣアドレスは、無線制御部１１から取得する。
帰属制御部１４は、帰属履歴記憶部１５を備えており、取得した帰属履歴情報を帰属履歴記憶部１５に保存する。
【００２５】
統計情報収集部１６は、タイマによって所定時間毎に起動し、スローパス統計情報処理部１３からスローパス統計情報を取得するとともに、後述するファストパス統計情報処理部２２からファストパス統計情報を取得する。
【００２６】
また、統計情報収集部１６は、無線制御部１１からゲートウェイ装置２に帰属している無線端末３のＭＡＣアドレスを帰属端末情報として取得する。そして、取得したこれらのスローパス統計情報、ファストパス統計情報、および帰属端末情報を合成し、統計情報データを生成する。統計情報データには、例えば、ＳＳＩＤ毎の所定期間の統計情報、および帰属中の無線端末毎における所定期間のスローパス統計情報およびファストパス統計情報が含まれている。
統計情報収集部１６は、統計情報記憶部１７を備えており、生成した統計情報データを統計情報記憶部１７に保存する。
【００２７】
ファストパス部２０は、ファストパス転送処理部２１を備えている。
ファストパス転送処理部２１は、パケット転送をスローパス転送処理部１２よりも速く行うことができ、トラフィックのワイヤーレート転送が可能となっている。
通常、転送されるトラフィックは、スローパス転送処理部１２によってスローパス転送される。このとき、スローパス転送処理部１２におけるコネクション情報の一部がファストパス転送処理部２１におけるコネクション情報としてオフロードされると、ファストパス転送処理部２１によるファストパス転送が開始されるようになっている。
【００２８】
ファストパス転送処理部２１は、スローパス転送処理部１２と同様に、コネクション情報を図示しない記憶部に保持しており、このコネクション情報に基づき、パケット転送等を行う。
コネクション情報には、例えば、送信元および宛先のＩＰアドレス、ＴＣＰおよびＵＤＰ等のレイヤ４（トランスポート層）のプロトコル、送信元および宛先のポート番号、スローパス統計情報等が含まれている。
【００２９】
ファストパス転送処理部２１は、ファストパス統計情報処理部２２を有している。
ファストパス統計情報処理部２２は、ファストパス転送処理部２１で転送したトラフィックに関するファストパス統計情報を、フロー毎に収集および更新する。ファストパス統計情報には、スローパス統計情報と同様の情報が含まれている。
なお、ファストパス転送したトラフィックの統計情報は、スローパスからオフロードされず、ファストパス統計情報処理部２２によってのみ、収集および更新される。
【００３０】
［ゲートウェイ装置の動作］
次に、ゲートウェイ装置２の動作について説明する。
図２は、図１のゲートウェイ装置２における統計情報収集部１６による、統計情報の収集処理の流れの一例を示すシーケンス図である。図３および図４は、図１のゲートウェイ装置２に対して無線端末３が帰属する際のゲートウェイ装置２の処理の流れの一例を示すシーケンス図である。
【００３１】
（統計情報の収集処理）
統計情報収集部１６において統計情報を収集する処理について、図２を参照して説明する。
まず、統計情報収集部１６は、タイマにより所定時間経過毎に起動する（シーケンスＳＥＱ１）。なお、統計情報収集部１６を起動させるためのタイマに設定される時間は、このゲートウェイ装置２を使用する状況に応じて適切に設定することができ、また、変更が可能であるものとする。
【００３２】
統計情報収集部１６は、スローパス統計情報処理部１３からスローパス統計情報を取得する処理を行う（ステップＳ１）。統計情報収集部１６は、スローパス統計情報処理部１３に対して、スローパス統計情報の取得を要求する（シーケンスＳＥＱ２）。スローパス統計情報処理部１３は、統計情報収集部１６からの要求に対する応答を行い、統計情報収集部１６に対してスローパス統計情報を送信する（シーケンスＳＥＱ３）。
【００３３】
次に、統計情報収集部１６は、ファストパス統計情報処理部２２からファストパス統計情報を取得する処理を行う（ステップＳ２）。統計情報収集部１６は、ファストパス統計情報処理部２２に対して、ファストパス統計情報の取得を要求する（シーケンスＳＥＱ４）。ファストパス統計情報処理部２２は、統計情報収集部１６からの要求に対する応答を行い、統計情報収集部１６に対してファストパス統計情報を送信する（シーケンスＳＥＱ５）。
【００３４】
また、統計情報収集部１６は、無線制御部１１から帰属端末情報を取得する処理を行う（ステップＳ３）。統計情報収集部１６は、無線制御部１１に対して、帰属端末情報の取得を要求する（シーケンスＳＥＱ６）。無線制御部１１は、統計情報収集部１６からの要求に対する応答を行い、統計情報収集部１６に対して、ゲートウェイ装置２に帰属している無線端末３のＭＡＣアドレス等の帰属端末情報を送信する（シーケンスＳＥＱ７）。
【００３５】
次に、統計情報収集部１６は、受信したスローパス統計情報、ファストパス統計情報、および帰属端末情報を合成し、統計情報データを生成する（ステップＳ４）。そして、統計情報収集部１６は、生成した統計情報データを統計情報記憶部１７に対して送信する（シーケンスＳＥＱ８）。送信された統計情報データは、統計情報記憶部１７に保存される（ステップＳ５）。
【００３６】
このようにして統計情報データが統計情報記憶部１７に保存されると、統計情報記憶部１７は、次回の起動までスリープ状態に移行する（シーケンスＳＥＱ９）。
【００３７】
（無線端末の帰属処理）
次に、ゲートウェイ装置２に対して無線端末３が帰属する際の処理について、図３および図４を参照して説明する。なお、図３および図４に示すシーケンス図において、記号Ａ〜Ｆは、それぞれ対応する記号へと処理が移行することを示す。
以下の説明において、ゲートウェイ装置２は、少なくとも２つのＳＳＩＤ＃１およびＳＳＩＤ＃２を有しているものとする。また、無線端末３は、少なくとも２つのＳＳＩＤ＃１およびＳＳＩＤ＃２に対応するプロファイル＃１およびプロファイル＃２を保持しているが、どのプロファイルが最も通信状態が良好であるのかについては、認識できないものとする。さらに、この例では、ＳＳＩＤ＃２の通信状態が最も良好であるものとする。ここで、「通信状態が良好である」とは、例えば、帰属要求のあったＳＳＩＤと比較して、通信速度が速い状態であることをいうものとする。
【００３８】
まず、無線端末３がゲートウェイ装置２への帰属が可能な距離に移動する（シーケンスＳＥＱ１１）と、無線端末３は、複数のプロファイルの中から所定のプロファイル、例えばＳＳＩＤ＃１が対応付けられたプロファイル＃１を選択する（ステップＳ１１）。
【００３９】
次に、無線端末３は、ＳＳＩＤ＃１への帰属処理を開始する（ステップＳ１２）。無線端末３は、無線制御部１１に対してＳＳＩＤ＃１へ帰属するための要求を行う（シーケンスＳＥＱ１２）。
【００４０】
無線制御部１１は、無線端末３からの帰属要求を受信すると、無線端末３のＳＳＩＤ＃１への帰属の可否を帰属制御部１４に問い合わせる（ステップＳ１３）。無線制御部１１は、無線端末３からの帰属要求を帰属制御部１４に転送する（シーケンスＳＥＱ１３）。
【００４１】
帰属制御部１４は、無線制御部１１を介して受信した無線端末３からの帰属要求に基づき、無線端末３のＳＳＩＤ＃１への帰属要求回数を調査するため、帰属履歴情報を取得する（ステップＳ１４）。帰属制御部１４は、帰属履歴記憶部１５にアクセスし（シーケンスＳＥＱ１４）、保存されている帰属履歴情報を読み出す（シーケンスＳＥＱ１５）。
【００４２】
次に、帰属制御部１４は、読み出した帰属履歴情報に基づき、所定期間内における無線端末３のＳＳＩＤ＃１への帰属要求回数と、予め設定された閾値とを比較する（ステップＳ１５）。
無線端末３の帰属要求回数が閾値を超えている場合（ステップＳ１５；Ｙｅｓ）、図示しないが、帰属制御部１４は、無線端末３に対し、無線制御部１１を介してＳＳＩＤ＃１への帰属を許可する情報を送信する。これは、無線端末３が他のＳＳＩＤに帰属するためのプロファイルを保持しておらず、他のＳＳＩＤに帰属できない可能性があるためである。
【００４３】
一方、無線端末３の帰属要求回数が閾値以下である場合（ステップＳ１５；Ｎｏ）、帰属制御部１４は、通信状態がＳＳＩＤ＃１よりも良好なＳＳＩＤを調べるために、統計情報データを取得する（ステップＳ１６）。帰属制御部１４は、統計情報収集部１６を介して統計情報記憶部１７にアクセスし（シーケンスＳＥＱ１６）、保存されている統計情報データを読み出す（シーケンスＳＥＱ１７）。
【００４４】
そして、帰属制御部１４は、読み出した統計情報データに基づき、ＳＳＩＤ＃１よりも通信状態が良好なＳＳＩＤが存在するか否かを判断する（ステップＳ１７）。
ＳＳＩＤ＃１よりも通信状態が良好なＳＳＩＤが存在しないと判断した場合（ステップＳ１７；Ｎｏ）、図示しないが、帰属制御部１４は、無線端末３に対し、無線制御部１１を介して帰属を許可する情報を送信する。
【００４５】
一方、ＳＳＩＤ＃１よりも通信状態が良好なＳＳＩＤが存在すると判断した場合（ステップＳ１７；Ｙｅｓ）、帰属制御部１４は、ＳＳＩＤ＃１よりも通信状態が良好なＳＳＩＤに無線端末３を帰属させるため、無線端末３からの帰属要求を拒否する（ステップＳ１８）。帰属制御部１４は、無線端末３のＳＳＩＤ＃１への帰属を拒否する応答を無線制御部１１に対して送信する（シーケンスＳＥＱ１８）。
無線制御部１１は、帰属制御部１４から受信した帰属拒否を無線端末３に転送する（シーケンスＳＥＱ１９）。
【００４６】
無線端末３は、無線制御部１１を介して帰属制御部１４から帰属拒否を受信すると、プロファイル＃１での帰属処理を終了する（ステップＳ１９）。
無線端末３は、プロファイル＃１での帰属が拒否されたため、次のプロファイルとして、例えばＳＳＩＤ＃２が対応付けられたプロファイル＃２を選択する（ステップＳ２０）。そして、無線端末３は、ＳＳＩＤ＃２への帰属処理を開始する（ステップＳ２１）。無線端末３は、無線制御部１１に対してＳＳＩＤ＃２へ帰属するための要求を行う（シーケンスＳＥＱ２０）。
【００４７】
無線制御部１１は、無線端末３からの要求を受信すると、無線端末３のＳＳＩＤ＃２への帰属の可否を帰属制御部１４に問い合わせる（ステップＳ２２）。無線制御部１１は、無線端末３からの帰属要求を帰属制御部１４に転送する（シーケンスＳＥＱ２１）。
【００４８】
帰属制御部１４は、無線制御部１１を介して受信した無線端末３からの帰属要求に基づき、無線端末３のＳＳＩＤ＃２への帰属要求回数を調査するため、帰属履歴情報を取得する（ステップＳ２３）。帰属制御部１４は、帰属履歴記憶部１５にアクセスし（シーケンスＳＥＱ２２）、保存されている帰属履歴情報を読み出す（シーケンスＳＥＱ２３）。
【００４９】
次に、帰属制御部１４は、読み出した帰属履歴情報に基づき、所定期間内における無線端末３のＳＳＩＤ＃２への帰属要求回数と、予め設定された閾値とを比較する（ステップＳ２４）。
無線端末３の帰属要求回数が閾値を超えている場合（ステップＳ２４；Ｙｅｓ）には、上述したステップＳ１５と同様に、帰属制御部１４は、無線端末３に対し、無線制御部１１を介してＳＳＩＤ＃２への帰属を許可する情報を送信する。
【００５０】
一方、無線端末３の帰属要求回数が閾値以下である場合（ステップＳ２４；Ｎｏ）、帰属制御部１４は、ステップＳ１６で取得した統計情報データに基づき、ＳＳＩＤ＃２よりも通信状態が良好なＳＳＩＤが存在するか否かを判断する（ステップＳ２５）。
ＳＳＩＤ＃２よりも通信状態が良好なＳＳＩＤが存在しないと判断した場合（ステップＳ２５；Ｎｏ）、帰属制御部１４は、ＳＳＩＤ＃２への帰属を許可する（ステップＳ２６）。そして、帰属制御部１４は、無線端末３のＳＳＩＤ＃２への帰属を許可する応答を無線制御部１１に対して送信する（シーケンスＳＥＱ２４）。
無線制御部１１は、帰属制御部１４から受信した帰属許可を無線端末３に転送する（シーケンスＳＥＱ２５）。
【００５１】
無線端末３は、無線制御部１１を介して帰属制御部１４から帰属許可を受信すると、プロファイル＃２での帰属処理を終了し、通信を開始する（ステップＳ２７）。ここで、プロファイル＃２でのゲートウェイ装置２へ帰属した場合、無線端末３とゲートウェイ装置２との間の通信は、例えば、スローパス転送処理部１２よりも転送速度が速いファストパス転送処理部２１を介して行われる。
【００５２】
なお、ステップＳ２５において、ＳＳＩＤ＃２よりも通信状態が良好なＳＳＩＤが存在する判断した場合（ステップＳ２５；Ｙｅｓ）には、処理がステップＳ１８に戻り、無線端末３からの帰属要求を拒否する。
【００５３】
以上のように、本実施の形態１では、無線端末３から所定のＳＳＩＤへの帰属要求を受信した場合に、帰属制御部１４は、統計情報データに基づき、当該ＳＳＩＤよりも通信状態が良好なＳＳＩＤを調べる。そして、当該ＳＳＩＤよりも通信状態が良好なＳＳＩＤが存在する場合には、受信した帰属要求に対応するＳＳＩＤへの帰属を拒否する。そのため、無線端末３に対して、より通信状態が良好なＳＳＩＤへの帰属を促すことができる。すなわち、本実施の形態１では、帰属を要求する無線端末３に対して、帰属先を適切に制御することができる。
【００５４】
実施の形態２．
次に、本実施の形態２に係るゲートウェイ装置について説明する。
本実施の形態２では、ゲートウェイ装置に対する無線端末の帰属処理の内容が実施の形態１と相違する。
なお、以下の説明において、上述した実施の形態１と同様の部分には同一の符号を付し、詳細な説明を省略する。
【００５５】
本実施の形態２に係るゲートウェイ装置について、ゲートウェイ装置およびネットワークシステムの構成、ならびにゲートウェイ装置における統計情報の収集処理については、実施の形態１と同様であるため、説明を省略する。すなわち、ゲートウェイ装置およびネットワークシステムの構成は、図１に示す構成と同様であり、統計情報の収集処理の流れは、図２と同様である。
【００５６】
本実施の形態２に係るゲートウェイ装置２は、統計情報データに基づき、各ＳＳＩＤでの通信状態を調べ、通信状態を示す情報である通信状態パラメータを、ビーコンにより送信する。そして、無線端末３は、ゲートウェイ装置２から送信されたビーコンに含まれる通信状態パラメータに基づき、通信状態が最も良好なＳＳＩＤへ帰属する。
【００５７】
［ゲートウェイ装置の動作］
本実施の形態２に係るゲートウェイ装置２の動作について説明する。
図５は、本実施の形態２に係るゲートウェイ装置２に対して無線端末３が帰属する際のゲートウェイ装置２の処理の流れの一例を示すシーケンス図である。
【００５８】
（無線端末の帰属処理）
ゲートウェイ装置２に対して無線端末３が帰属する際の処理について、図５を参照して説明する。
以下の説明において、ゲートウェイ装置２は、少なくとも３つのＳＳＩＤ＃１〜ＳＳＩＤ＃３を有しているものとする。また、無線端末３は、少なくとも３つのＳＳＩＤ＃１〜ＳＳＩＤ＃３に対応するプロファイル＃１〜プロファイル＃３を保持しているものとする。さらに、この例では、ＳＳＩＤ＃２の通信状態が最も良好であるものとする。ここで、「通信状態が良好である」とは、例えば、帰属要求のあったＳＳＩＤと比較して、通信速度が速い状態であることをいうものとする。
【００５９】
まず、ゲートウェイ装置２の帰属制御部１４は、タイマにより所定時間経過毎に起動する（シーケンスＳＥＱ３１）。なお、帰属制御部１４を起動させるためのタイマに設定される時間は、このゲートウェイ装置２を使用する状況に応じて適切に設定することができ、また、変更が可能であるものとする。
【００６０】
帰属制御部１４は、各ＳＳＩＤにおける通信状態を調べるために、統計情報データを取得する（ステップＳ３１）。帰属制御部１４は、統計情報収集部１６を介して統計情報記憶部１７にアクセスし（シーケンスＳＥＱ３２）、保存されている統計情報データを読み出す（シーケンスＳＥＱ３３）。
【００６１】
次に、帰属制御部１４は、読み出した統計情報データに基づき、ＳＳＩＤ＃１における通信状態を示す通信状態パラメータａ、ＳＳＩＤ＃２の通信状態パラメータｂ、およびＳＳＩＤ＃３の通信状態パラメータｃを決定する（ステップＳ３２）。そして、帰属制御部１４は、決定した通信状態パラメータａ〜ｃを無線制御部１１に対して送信する（シーケンスＳＥＱ３４）。
【００６２】
このようにして通信状態パラメータａ〜ｃを無線制御部１１に送信すると、帰属制御部１４は、次回の起動までスリープ状態に移行する（シーケンスＳＥＱ３５）。
【００６３】
シーケンスＳＥＱ３１〜シーケンスＳＥＱ３５の処理が完了した後、無線制御部１１は、タイマにより所定時間経過毎に起動する（シーケンスＳＥＱ４１）。なお、無線制御部１１を起動させるためのタイマに設定される時間は、このゲートウェイ装置２を使用する状況に応じて適切に設定することができ、また、変更が可能であるものとする。
【００６４】
無線制御部１１は、帰属制御部１４から送信された通信状態パラメータａ〜ｃのうち、通信状態パラメータａを付与したＳＳＩＤ＃１のビーコンを生成する（ステップＳ４１）。そして、無線制御部１１は、生成したＳＳＩＤ＃１のビーコンを外部に送信する（シーケンスＳＥＱ４２）。
【００６５】
このようにして通信状態パラメータａを付与したＳＳＩＤ＃１のビーコンを送信すると、無線制御部１１は、次回の起動までスリープ状態に移行する（シーケンスＳＥＱ４３）。
【００６６】
次に、シーケンスＳＥＱ４１〜シーケンスＳＥＱ４３の処理が完了した後、無線制御部１１は、タイマにより所定時間経過毎に起動する（シーケンスＳＥＱ５１）。なお、無線制御部１１を起動させるためのタイマに設定される時間は、このゲートウェイ装置２を使用する状況に応じて適切に設定することができ、また、変更が可能であるものとする。
【００６７】
無線制御部１１は、帰属制御部１４から送信された通信状態パラメータａ〜ｃのうち、通信状態パラメータｂを付与したＳＳＩＤ＃２のビーコンを生成する（ステップＳ５１）。そして、無線制御部１１は、生成したＳＳＩＤ＃２のビーコンを外部に送信する（シーケンスＳＥＱ５２）。
【００６８】
このようにして通信状態パラメータｂを付与したＳＳＩＤ＃２のビーコンを送信すると、無線制御部１１は、次回の起動までスリープ状態に移行する（シーケンスＳＥＱ５３）。
【００６９】
次に、シーケンスＳＥＱ５１〜シーケンスＳＥＱ５３の処理が完了した後、無線制御部１１は、タイマにより所定時間経過毎に起動する（シーケンスＳＥＱ６１）。なお、無線制御部１１を起動させるためのタイマに設定される時間は、このゲートウェイ装置２を使用する状況に応じて適切に設定することができ、また、変更が可能であるものとする。
【００７０】
無線制御部１１は、帰属制御部１４から送信された通信状態パラメータａ〜ｃのうち、通信状態パラメータｃを付与したＳＳＩＤ＃３のビーコンを生成する（ステップＳ６１）。そして、無線制御部１１は、生成したＳＳＩＤ＃３のビーコンを外部に送信する（シーケンスＳＥＱ６２）。
【００７１】
このようにして通信状態パラメータｃを付与したＳＳＩＤ＃３のビーコンを送信すると、無線制御部１１は、次回の起動までスリープ状態に移行する（シーケンスＳＥＱ６３）。
【００７２】
次に、無線端末３がゲートウェイ装置２への帰属が可能な距離に移動する（シーケンスＳＥＱ７１）と、無線端末３は、所定時間の間、ゲートウェイ装置２から送信されているビーコンを収集する（ステップＳ７１）。この例では、この所定時間の間に、ＳＳＩＤ＃１〜ＳＳＩＤ＃３のビーコンが収集できるものとする。
【００７３】
無線端末３は、収集した各ＳＳＩＤのビーコンに付与された通信状態パラメータａ〜ｃに基づき、通信状態が最も良好であるＳＳＩＤを判断する。この例では、ＳＳＩＤ＃１〜ＳＳＩＤ＃３のうち、ＳＳＩＤ＃２の通信状態が最も良好であると判断する。そして、無線端末３は、ＳＳＩＤ＃２が対応付けられたプロファイル＃２を選択する（ステップＳ７２）。
【００７４】
次に、無線端末３は、ＳＳＩＤ＃２への帰属処理を開始する（ステップＳ７３）。無線端末３は、無線制御部１１に対してＳＳＩＤ＃２へ帰属するための要求を行う（シーケンスＳＥＱ７２）。
【００７５】
無線制御部１１は、無線端末３からの帰属要求を受信すると、この帰属要求に対する認証を行う（ステップＳ７４）。そして、無線制御部１１は、ＳＳＩＤ＃２への帰属を許可する応答を、無線端末３に対して送信する（シーケンスＳＥＱ７３）。
【００７６】
無線端末３は、無線制御部１１から帰属許可を受信すると、プロファイル＃２での帰属処理を終了し、通信を開始する（ステップＳ７５）。ここで、プロファイル＃２でのゲートウェイ装置２へ帰属した場合、無線端末３とゲートウェイ装置２との間の通信は、例えば、スローパス転送処理部１２よりも転送速度が速いファストパス転送処理部２１を介して行われる。
【００７７】
以上のように、本実施の形態２では、統計情報データに基づき、各ＳＳＩＤの通信状態を示す通信状態パラメータを決定し、この通信状態パラメータを付与したビーコンを、ゲートウェイ装置２から送信する。そのため、無線端末３に対して、より通信状態が良好なＳＳＩＤへの帰属を促すことができる。
【００７８】
また、無線端末３は、ビーコンに付与された通信パラメータに基づき、通信状態が最も良好であるＳＳＩＤへの帰属を行う。そのため、通信状態が最も良好であるＳＳＩＤを容易に判断することができ、この通信状態が最も良好であるＳＳＩＤへの帰属を容易に行うことができる。
【００７９】
さらに、ゲートウェイ装置２に対する無線端末３による帰属要求は、通信状態が最も良好であるＳＳＩＤに対する帰属要求となる。そのため、無線端末３から帰属要求が行われた際に、ゲートウェイ装置２において通信状態が最も良好であるＳＳＩＤを調べるという処理を省略することができる。
【００８０】
実施の形態３．
次に、本実施の形態３に係るゲートウェイ装置について説明する。
本実施の形態３では、ゲートウェイ装置と無線端末とをＵＳＢ（Universal Serial Bus）等の有線により接続することができる点で、実施の形態１および実施の形態２と相違する。
なお、以下の説明において、上述した実施の形態１および実施の形態２と同様の部分には同一の符号を付し、詳細な説明を省略する。
【００８１】
［ネットワークシステムの構成］
図６は、本実施の形態３に係るネットワークシステム３０の構成の一例を示すブロック図である。
ネットワークシステム３０は、ゲートウェイ装置３１および無線端末３で構成される。
無線端末３は、ゲートウェイ装置３１に無線帰属することにより、ゲートウェイ装置３１に接続されたアクセス回線４、ＩＳＰ５、およびインターネット回線６を経由してインターネット７に接続される。
また、無線端末３は、例えばＡｎｄｒｏｉｄ（登録商標、以下省略する）ＯＳ（Ｏｐｅｒａｔｉｎｇ  Ｓｙｓｔｅｍ）を搭載したＡｎｄｒｏｉｄ端末である。無線端末３は、図示しないＵＳＢ接続部を有し、ゲートウェイ装置３１に設けられた図示しないＵＳＢ接続部を介して、ＵＳＢ接続することができる。
【００８２】
（ゲートウェイ装置）
図６に示すように、ゲートウェイ装置２は、スローパス部３５およびファストパス部２０で構成されている。
スローパス部３５は、無線制御部１１、スローパス転送処理部１２、帰属制御部１４、統計情報収集部１６、および有線接続制御部としてのＵＳＢ制御部３６を備えている。
【００８３】
ＵＳＢ制御部３６は、例えばＵＳＢドライバおよびＡＤＢ（Android Debug Bridge）が実装されて構成されている。ＵＳＢ制御部３６は、統計情報収集部１６の統計情報記憶部１７に保存された統計情報データに基づき、通信状態が最も良好であるＳＳＩＤを調べ、このＳＳＩＤに対応するプロファイルをＡＤＢ経由で無線端末３に設定することができる。
【００８４】
［ゲートウェイ装置の動作］
本実施の形態３に係るゲートウェイ装置３１の動作について説明する。
図７は、本実施の形態３に係るゲートウェイ装置３１に対して無線端末３が帰属する際のゲートウェイ装置３１の処理の流れの一例を示すシーケンス図である。
なお、ゲートウェイ装置３１における統計情報の収集処理については、実施の形態１と同様であるため、説明を省略する。
【００８５】
（無線端末の帰属処理）
ゲートウェイ装置３１に対して無線端末３が帰属する際の処理について、図７を参照して説明する。
なお、以下の説明において、ゲートウェイ装置３１は、複数のＳＳＩＤを有しているものとする。また、この例では、ＳＳＩＤ＃２の通信状態が最も良好であるものとする。ここで、「通信状態が良好である」とは、例えば、帰属要求のあったＳＳＩＤと比較して、通信速度が速い状態であることをいうものとする。
【００８６】
まず、無線端末３とゲートウェイ装置３１とをＵＳＢ接続する（シーケンスＳＥＱ８１）と、無線端末３は、ＵＳＢ接続処理を行う（ステップＳ８１）。無線端末３は、ゲートウェイ装置３１のＵＳＢ制御部３６に対して、ＵＳＢ接続を要求する（シーケンスＳＥＱ８２）。
ＵＳＢ制御部３６は、無線端末３からのＵＳＢ接続要求を受信すると、ＵＳＢ接続を許可する応答を、無線端末３に対して送信する（シーケンスＳＥＱ８３）。
【００８７】
次に、無線端末３は、ゲートウェイ装置３１が有する複数のＳＳＩＤのうち、通信状態が最も良好なＳＳＩＤに対応する最適なプロファイルを要求する処理を行う（ステップＳ８２）。無線端末３は、ＵＳＢ制御部３６に対して、最適なプロファイルを要求する（シーケンスＳＥＱ８４）。
【００８８】
ＵＳＢ制御部３６は、無線端末３からのプロファイル要求を受信すると、通信状態が最も良好であるＳＳＩＤを調べるために、統計情報データを取得する（ステップＳ８３）。ＵＳＢ制御部３６は、統計情報収集部１６を介して統計情報記憶部１７にアクセスし（シーケンスＳＥＱ８５）、保存されている統計情報データを読み出す（シーケンスＳＥＱ８６）。
【００８９】
そして、ＵＳＢ制御部３６は、読み出した統計情報データに基づき、通信状態が最も良好であるＳＳＩＤを判断し、このＳＳＩＤに対応するプロファイルを最適なプロファイルとして決定する（ステップＳ８４）。この例において、ＵＳＢ制御部３６は、ＳＳＩＤ＃２が通信状態の最も良好であるＳＳＩＤであると判断し、ＳＳＩＤ＃２に対応するプロファイル＃２を最適なプロファイルとして決定する。
ＵＳＢ制御部３６は、無線端末３からのプロファイル要求に対する応答として、決定したプロファイル＃２を無線端末３に対して送信する（シーケンスＳＥＱ８７）。
【００９０】
次に、無線端末３は、ＵＳＢ制御部３６から受信したプロファイル＃２を選択し（ステップＳ８５）、ＳＳＩＤ＃２への帰属処理を開始する（ステップＳ８６）。無線端末３は、無線制御部１１に対してＳＳＩＤ＃２へ帰属するための要求を行う（シーケンスＳＥＱ８８）。
【００９１】
無線制御部１１は、無線端末３からの帰属要求を受信すると、この帰属要求に対する認証を行う（ステップＳ８７）。そして、無線制御部１１は、ＳＳＩＤ＃２への帰属を許可する応答を、無線端末３に対して送信する（シーケンスＳＥＱ８９）。
【００９２】
無線端末３は、無線制御部１１から帰属許可を受信すると、プロファイル＃２での帰属処理を終了し、通信を開始する（ステップＳ８８）。ここで、プロファイル＃２でのゲートウェイ装置２へ帰属した場合、無線端末３とゲートウェイ装置２との間の通信は、例えば、スローパス転送処理部１２よりも転送速度が速いファストパス転送処理部２１を介して行われる。
【００９３】
以上のように、本実施の形態３では、無線端末３とゲートウェイ装置３１とをＵＳＢ接続する。ゲートウェイ装置３１は、統計情報データに基づき、無線端末３からの要求に対する最適なプロファイルを決定し、無線端末３に対して送信する。そのため、無線端末３に対して、より通信状態が良好なＳＳＩＤへの帰属を促すことができる。
【００９４】
実施の形態４．
次に、本実施の形態４に係るゲートウェイ装置について説明する。
本実施の形態４では、ゲートウェイ装置に対する無線端末の帰属処理の内容が実施の形態１〜実施の形態３と相違する。
なお、以下の説明において、上述した実施の形態１〜実施の形態３と同様の部分には同一の符号を付し、詳細な説明を省略する。
【００９５】
本実施の形態４に係るゲートウェイ装置について、ゲートウェイ装置およびネットワークシステムの構成、ならびにゲートウェイ装置における、統計情報の収集処理については、実施の形態１と同様であるため、説明を省略する。すなわち、ゲートウェイ装置およびネットワークシステムの構成は、図１に示す構成と同様であり、統計情報の収集処理の流れは、図２と同様である。
【００９６】
本実施の形態４に係るゲートウェイ装置２は、統計情報データに基づき、各ＳＳＩＤでの混雑状況と、混雑しているＳＳＩＤの通信状態に帰属している無線端末３の通信状態とを調査する。そして、調査結果に基づき、無線端末３をより通信状態が良好なＳＳＩＤへの帰属を促すようにしている。
【００９７】
［ゲートウェイ装置の動作］
本実施の形態４に係るゲートウェイ装置２の動作について説明する。
図８は、本実施の形態４に係るゲートウェイ装置２に帰属する無線端末３に対するゲートウェイ装置２の処理の流れの一例を示すシーケンス図である。
【００９８】
（無線端末の帰属処理）
ゲートウェイ装置２に帰属する無線端末３に対して行われるゲートウェイ装置２の処理について、図８を参照して説明する。
以下の説明において、ゲートウェイ装置２は、複数のＳＳＩＤを有しているものとする。また、無線端末３は、複数のＳＳＩＤに対応する複数のプロファイルを保持しているものとする。
【００９９】
さらに、この例では、無線端末３がＳＳＩＤ＃１に帰属している場合について説明する。また、無線端末３が帰属中のＳＳＩＤ＃１が混雑しており、かつ、ＳＳＩＤ＃１に帰属している無線端末３が所定時間、通信を行っていないものとする。
【０１００】
まず、ゲートウェイ装置２の帰属制御部１４は、タイマにより所定時間経過毎に起動する（シーケンスＳＥＱ９１）。なお、帰属制御部１４を起動させるためのタイマに設定される時間は、このゲートウェイ装置２を使用する状況に応じて適切に設定することができ、また、変更が可能であるものとする。
【０１０１】
帰属制御部１４は、各ＳＳＩＤの混雑状況と、それぞれのＳＳＩＤに帰属中の無線端末３の通信状態を調べるために、統計情報データを取得する（ステップＳ９１）。帰属制御部１４は、統計情報収集部１６を介して統計情報記憶部１７にアクセスし（シーケンスＳＥＱ９２）、保存されている統計情報データを読み出す（シーケンスＳＥＱ９３）。
【０１０２】
次に、帰属制御部１４は、読み出した統計情報データに基づき、各ＳＳＩＤの混雑状況と、それぞれのＳＳＩＤに帰属中の無線端末３の通信状態を調べる。
このとき、帰属制御部１４が、ＳＳＩＤ＃１の混雑によってこのＳＳＩＤ＃１に帰属中の無線端末３が所定時間、通信を行っていないことを検知すると、帰属制御部１４は、無線端末３のＳＳＩＤ＃１への帰属を解除する（ステップＳ９２）。なお、「混雑」とは、例えば、転送速度が予め設定された速度よりも低い状態等のことをいう。
帰属制御部１４は、無線端末３のＳＳＩＤ＃１への帰属を解除する応答を無線制御部１１に対して送信する（シーケンスＳＥＱ９４）。
無線制御部１１は、帰属制御部１４から受信した帰属解除を無線端末３に転送する（シーケンスＳＥＱ９５）。
【０１０３】
そして、帰属制御部１４は、所定時間の間、無線端末３によるＳＳＩＤ＃１への帰属を禁止し（ステップＳ９３）、次回の起動までスリープ状態に移行する（シーケンスＳＥＱ９６）。
【０１０４】
一方、例えば帰属制御部１４による無線端末３のＳＳＩＤ＃１への帰属禁止が解除された後等の所定時間経過後、無線端末３は、複数のプロファイルの中から所定のプロファイル、例えばＳＳＩＤ＃１が対応付けられたプロファイル＃１を選択する（ステップＳ９５）。そして、処理が図３のステップＳ１２に戻り、無線制御部１１は、ＳＳＩＤ＃１への帰属処理を行う。
【０１０５】
以上のように、本実施の形態４では、統計情報データに基づき、各ＳＳＩＤの混雑状況と、それぞれのＳＳＩＤに帰属中の無線端末３の通信状態を調査する。そして、混雑しているＳＳＩＤに帰属中の無線端末３が所定時間の間、通信を行っていない場合には、一旦、当該ＳＳＩＤへの帰属を解除する。そのため、帰属中の無線端末３であっても、ユーザが操作することなく混雑しているＳＳＩＤへの帰属を解除でき、より通信状態が良好なＳＳＩＤへの帰属を促すことができる。
【０１０６】
以上、本実施の形態１〜実施の形態４について説明したが、本発明は、上述した実施の形態１〜実施の形態４に限定されるものではなく、本発明の要旨を逸脱しない範囲内で様々な変形や応用が可能である。
【０１０７】
例えば、実施の形態１〜実施の形態４では、ゲートウェイ装置がスローパス部およびファストパス部で構成されるように説明したが、これに限られず、例えばスローパス部のみで構成されてもよい。
また、実施の形態３では、無線端末とゲートウェイ装置とをＵＳＢにより接続したが、これに限られない。例えば、無線端末の所有者がゲートウェイ装置の所有者であることを確認でき、かつ、無線端末の設定を行うことが可能な方式であれば、有線ＬＡＮ等の方式によってこれらを接続してもよい。
【符号の説明】
【０１０８】
１、３０  ネットワークシステム、２、３１  ゲートウェイ装置、３  無線端末、４  アクセス回線、５  インターネットサービスプロバイダ、６  インターネット回線、７  インターネット、１０、３５  スローパス部、２０  ファストパス部、１１  無線制御部、１２  スローパス転送処理部、１３  スローパス統計情報処理部、１４  帰属制御部、１５  帰属履歴記憶部、１６  統計情報収集部、１７  統計情報記憶部、２１  ファストパス転送処理部、２２  ファストパス統計情報処理部、３６  ＵＳＢ制御部。
【図１】
2017130715.tif 000003
【図２】
2017130715.tif 000004
【図３】
2017130715.tif 000005
【図４】
2017130715.tif 000006
【図５】
2017130715.tif 000007
【図６】
2017130715.tif 000008
【図７】
2017130715.tif 000009
【図８】
2017130715.tif 000010